(57)【要約】  【課題】 本発明は、ドアの外側からでもドアガードアームの施解錠ができ、取り付けも容易で、より防犯性の高いドアガード装置を提供することを目的とする。  【解決手段】  ドアガードアーム３０をモータ２１により回動させるドアガードユニット１０を、送信機５０によりワイヤレス式に遠隔操作することによって、ドアの外側からでも施解錠でき、ドアガードユニット１０を駆動するメイン電池１２ａの電力がなくなったとき、ドアガードユニット１０に設けられた電源切り替えスイッチ１３により、バックアップ電池１２ｂに切り替えることで、再度ドアガードユニット１０を駆動できるようにし、ドアの外に閉め出されることを防止した。  【選択図】      図５
2005036488.tif 000002
【特許請求の範囲】
【請求項１】
ドアの室内側に取り付けられ、
室内の壁に取り付けられた係合具と、
前記係合具と係合するため、回動自在に取り付けられ、ドアを一定の間隔を以て開けられないようにするドアガードアームとを備えたドアガード装置であって、
前記ドアガードアームを回動させるアクチュエータと、
前記アクチュエータを駆動するメイン電源と、
前記メイン電源の電力が一定値以下になった場合に、警告音をならす警告回路と、
前記アクチュエータを作動させるための信号を受ける受信部とからなるドアガードユニットと、
前記ドアガードユニットの受信部に前記アクチュエータを作動させる為に、ワイヤレス式に信号を送信する送信機とを有し、
前記送信機により前記ドアガードユニットを駆動させ、前記アクチュエータによって、離れた位置からでも前記ドアガードアームを回動できることを特徴とするドアガード装置。
【請求項２】
前記ドアガードユニットは、
前記メイン電源の代わりにアクチュエータを駆動できるバックアップ電源と、
前記メイン電源と前記バックアップ電源とを手動にて切り替えができる電源切り替えスイッチとを有し、
前記メイン電源で前記アクチュエータを駆動できなくなった場合に、前記電源切り替えスイッチを前記バックアップ電源に切り替えることにより、再度前記アクチュエータを駆動できるようにしたことを特徴とする請求項１に記載のドアガード装置。
【発明の詳細な説明】
【技術分野】
【０００１】
本発明は、ドアガードアームをワイヤレス式に遠隔操作するドアガード装置に関し、特に住宅用に好適なドアガード装置に関するものである。
【背景技術】
【０００２】
従来、住宅、アパート等に居住していて、玄関の扉等を施錠する場合に、住宅の玄関に設けられたドアの室内側に配設された施錠装置だけでは防犯上の不安があるために、ドアの室内側に２つの施錠装置を設けるか、施錠装置の他に特許文献１及び特許文献２にあるようなドアガード装置が設けられるかして、ドアに二重に鍵が掛けられるようにしてあるものが多い。このドアガード装置は、外来者が来たときには扉を少し開けて相手を確かめることができ、不法侵入を防止するようになっている。
【０００３】
しかしながら、特許文献１及び特許文献２に記載されたドアガード装置は、居住者が中にいる状態で、外来者から身を守るためのものであり、居住者が中にいる時には防犯性があるが、外出時には室外側から操作できないため、防犯性に欠けていた。
【０００４】
そこで、外出時の防犯性を上げるために、ドアガード装置を室外側から操作できるようにしたものが、特許文献３及び特許文献４に記載されている。
特許文献３では、外出時にドアガードアームを起こして扉を閉めることによって、案内ブロックより係止体が解放され、ドアガードアームの挿通部と係合することによって、施錠される。帰宅時には、ドアガードアームの長さ分だけドアを開放し、その隙間から鍵を入れ、係止体に設けられたシリンダー錠を回すことによって、ドアガードアームが外れるようになっている。
【０００５】
また、特許文献４では、シリンダー錠がドアを挿通してドアガード側に連結されており、外出時に室外からシリンダー錠を回すとピニオンが回転し、それに伴ってリンク機構により、ドアガードアームが起こされて受杆と係合して施錠される。帰宅時には、室外からシリンダー錠を回せば、リンク機構によってドアガードアームがもとの位置に戻り、解錠される。
【０００６】
【特許文献１】特開平６−１３７０１４号公報
【特許文献２】特開平９−１９５６０６号公報
【特許文献３】特開２００２−１８０７２５号公報
【特許文献４】特開２００２−２２７４８５号公報
【発明の開示】
【発明が解決しようとする課題】
【０００７】
特許文献３及び特許文献４に記載されたドアガード装置を用いれば、室外側からでも操作が可能であるが、ドアガードアームを施解錠するのにシリンダー錠を用いているので、ピッキング等によってドアの主錠が開けられるのと同様に、ドアガード装置も操作されてしまうので、防犯性が低い。
【０００８】
また、ドアの主錠を２つにしたり、シリンダー錠を用いて室外側から操作できるドアガード装置を用いれば、ドアに二重の鍵が掛けられることになるが、ドアの主錠をもう一つ増設したり、ドアガード装置のシリンダー錠をドアに通すためには、そのための挿通孔を開けなければならず、取り付けにも手間がかかる。
【０００９】
本発明は、上述した課題を解決するためになされたものであり、その目的とするところは、ドアの外側からでもドアガードアームの施解錠ができ、取り付けも容易で、より防犯性の高いドアガード装置を提供することを目的とする。
【課題を解決するための手段】
【００１０】
上述した課題を解決するため本発明は、ドアの室内側に取り付けられ、室内の壁に取り付けられた係合具と、前記係合具と係合するため、回動自在に取り付けられ、ドアを一定の間隔を以て開けられないようにするドアガードアームとを備えたドアガード装置であって、前記ドアガードアームを回動させるアクチュエータと、前記アクチュエータを駆動するメイン電源と、前記メイン電源の電力が一定値以下になった場合に、警告音をならす警告回路と、前記アクチュエータを作動させるための信号を受ける受信部とからなるドアガードユニットと、前記ドアガードユニットの受信部に前記アクチュエータを作動させる為に、ワイヤレス式に信号を送信する送信機とを有し、前記送信機により前記ドアガードユニットを駆動させ、前記アクチュエータによって、離れた位置からでも前記ドアガードアームを回動できることを技術的特徴とする。
【００１１】
また、本発明では、好適には、前記ドアガードユニットは、前記メイン電源の代わりにアクチュエータを駆動できるバックアップ電源と、前記メイン電源と前記バックアップ電源とを手動にて切り替えができる電源切り替えスイッチとを有し、前記メイン電源で前記アクチュエータを駆動できなくなった場合に、前記電源切り替えスイッチを前記バックアップ電源に切り替えることにより、再度前記アクチュエータを駆動できる。
【発明の効果】
【００１２】
本発明では、ドアガードユニットのアクチュエータによってドアガードアームを開閉できるようにしたため、送信機を使えばドアの外側からでもドアガードアームを掛けたり外したりでき、外出時の防犯性をあげることができ、シリンダー錠を使用しないのでピッキングの防犯にも優れている。
また、メイン電源として後述する実施例のように電池を使用すれば、ＡＣ電源を使用する場合に比べて余計な配線を必要とせず、ドアガードユニットは小型にでき、メイン電源の電力が一定値以下になった場合には、警告音が鳴らされ、電池交換を促すこともできる。
【００１３】
さらに、ドアガードユニットは小型で、ドアの室内側にユニットを取り付けるだけでよいので、ドアに挿通孔などを設ける必要がなく、手間がかからず、備え付けのドアガード装置との付け替えも容易にできる。
【００１４】
また、ドアガードユニットには、メイン電源に代わるバックアップ電源が設けられているので、メイン電源の電力が低下してアクチュエータの駆動が困難になった場合でも、バックアップ電源にスイッチを切り替えることで再びアクチュエータの駆動が可能になる。
【００１５】
さらに、電源切り替えスイッチは、手動で切り替えが可能であるため、メイン電源がドアガードアームを駆動できなった場合でも、ドアの隙間から手を入れてスイッチを操作すれば、簡単にバックアップ電源に切り替えることができる。
【発明を実施するための最良の形態】
【００１６】
本発明の１実施形態に係るドアガード装置について図面を参照して説明する。
【００１７】
図１は、１実施形態に係るドアガード装置の構成を示す説明図である。ドアガード装置は、ドアガードアーム３０と、ドアガードアーム３０をモータにより開閉するドアガードユニット１０と、ドアガードユニット１０をワイヤレス式に遠隔操作する送信機５０とを備えてなる。ドアガードアーム３０が取り付けられたドアガードユニット１０は、ドア４０に取り付けられ、該ドアガードアーム３０と係合してドアを一定間隔以上開放しないようにする係合具３１は、室内の壁４１に取り付けられる。送信機５０は、使用者により携帯される。
【００１８】
ここで、本発明の１実施形態では、係合具３１は室内の壁４１に取り付けられるようになっているが、ドア４０の横が必ずしも壁であるとは限らないので、ドア４０の横が壁でない場合は、ドアのドア枠に取り付ければよい。この場合、係合具３１の取り付け位置により、ドアガードアーム３０の回転角度が変わるので、ドアガードユニット１０によって、ドアガードアーム３０の回転角度をあらかじめ調節する必要がある。
【００１９】
使用者は、屋内及び屋外から、送信部を内蔵している送信機５０のスイッチ５１を操作することで、ドアガードユニット１０へ電波送信を行う。送信機５０から送信された電波を、ドアガードユニット１０が受信すると、ドアガードユニット１０はドアガードアーム３０を回動させ、施錠、解錠を行う。このように、ドアガードアーム３０を屋外側からでも施解錠ができるようにしたので、外出時の防犯性を高めることができる。
【００２０】
本発明の１実施形態では、ワイヤレスにてドアガードユニット１０が送信機５０からの信号を受けて作動するようになっているが、屋内の壁４１に、ドアガードアーム３０の施解錠状態及び主錠７１の施解錠状態を表示する遠隔操作ユニット（図示しない）を別に設けて、ドアガードユニット１０及び主錠ユニット７０から施錠及び解錠の状態を送信するようにすれば、ドアガード及び主錠の施解錠状態を遠隔操作ユニットのモニターに表示したり、電池交換を促すことも可能である。こうすれば、屋内にいるときでも、ドアガード装置の施解錠の確認が楽にできるようになる。
【００２１】
図２（ａ）は、ドアガードユニット１０の正面図であり、図２（ｂ）は、ドアガードユニット１０の側面図、図３は、ドアガードユニット１０の構成を示している。このドアガードユニット１０は、送信機５０からの電波の受信を行う受信部１１、ドアガードアーム３０の開閉を行う駆動部２０、単三電池を６本収容する電池収容部１２、メイン電源とバックアップ電源とを切り替える電源切り替えスイッチ１３、後述するＣＰＵ６０等を搭載する主制御基板１４とを内部に組み込んでなり、ドアへの施工工事が容易なようにこれらが一体に構成されている。
【００２２】
ドアガードユニット１０の駆動部２０は、モータ２１、ウォーム２２、平歯ギヤ２３、クラッチ機構付ギヤ２４、ドアガードアーム３０と連結される連結ギヤ２５から構成されている。ここではモータを用いているが、アクチュエータとしてはソレノイドを用いることもできる。
【００２３】
電池収容部１２には、メイン電源としてメイン電池１２ａと、バックアップ電源としてバックアップ電池１２ｂが、それぞれ３本づつ収容されており、バックアップ電池１２ｂは、メイン電池１２ａにモータ２１を駆動できる電力がなくなったとき、代わりにモータ２１を駆動するために備えられている。
【００２４】
電源切り替えスイッチ１３は、ドアガードユニット１０の側部に配置されているため、メイン電池１２ａがモータ２１を駆動できなくなったとき、バックアップ電池１２ｂに切り替えるときに、ドアガードアーム３０の長さ分ドア４０を開けた隙間から手を入れることによって、手動で切り替えることができる。
【００２５】
なお、ドアガードユニット１０は、上述したように電池駆動であるため、電池の容量が不足すると送信機５０からの電波（微弱電波）による施解錠が行えなくなる。このため、電池電圧が低下すると、警告回路により警告音を鳴らし、電池交換を促す。
【００２６】
本発明の１実施形態では、警告音をならす手段としてブザーを用いており、それを制御する警告回路としてブザー吹鳴回路を設けているが、音を発生させるものであれば、特にブザーに限定されるものではない。
【００２７】
図４に、ドアガードユニット１０の電気的構成を示す。ドアガードユニット１０は、ＣＰＵ６０と、メイン電池１２ａの電圧を検出する電池電圧検出回路６２と、メイン電池１２ａ又はバックアップ電池１２ｂの電圧をＣＰＵ供給用電圧に変換する電源回路６４と、送信機５０からの電波の受信を行う受信部１１と、バックアップ電池１２ｂの電圧を検出する電池電圧検出回路６３と、ドアガードアーム３０を施解錠するモータ２１を駆動するためのモータ制御回路６６と、メイン電池１２ａとバックアップ電池１２ｂとを切り替える電源切り替え回路６１と、ドアガードアーム３０の施解錠状態を検出する施錠解錠位置検出回路６５と、ドア４０が開いているときにＯＮになる扉スイッチ６７ａと、扉スイッチ６７ａの状態を検出する扉スイッチ入力回路６７と、上述したように、メイン電池１２ａの電圧が低下した際に吹鳴して電池交換を促すためのブザー６８ａを制御するブザー吹鳴回路６８とからなる。
【００２８】
扉スイッチ６７ａは、ドア４０が閉まっていればＯＦＦになり、ドア４０が開いていればＯＮになるようになっている。この扉スイッチ６７ａの状態を扉スイッチ入力回路６７で検出し、扉スイッチ６７ａがＯＮになっている状態では、ドアガードユニット１０は作動しないようになっている。
【００２９】
図５は、図４中の電源切り替え回路６１と施錠解錠位置検出回路６５の構成を示す回路図である。電源切り替え回路６１は、メイン電池１２ａ及びバックアップ電池１２ｂとを切り替える電源切り替えスイッチ１３と、電源切り替えスイッチ１３によりバックアップ電池１２ｂが選択されているときに、施錠解錠位置検出回路６５の検出結果と連動する定方向スイッチＳＷ１，ＳＷ１，ＳＷ１とを備える。電源切り替えスイッチ１３は、メイン電池１２ａを選択しているとき、バックアップ電池１２ｂがＯＦＦになるように連動され、逆にバックアップ電池１２ｂを選択しているときは、メイン電池１２ａがＯＦＦになるように連動されている。
【００３０】
また、施錠解錠位置検出回路６５は、送信機５０の操作によってドアガードアーム３０を施錠したときにＯＮになる施錠スイッチＳＷ２と、ドアガードアーム３０が解錠されているときにＯＮとなる解錠スイッチＳＷ３とを備える。
【００３１】
電源切り替えスイッチ１３がメイン電池１２ａを選択しているとき、電流はメイン電池１２ａから直接電源回路６４に流れるようになっている。電源切り替えスイッチ１３がバックアップ電池１２ｂを選択しているときは、電流は定方向スイッチＳＷ１，ＳＷ１，ＳＷ１と、施錠解錠位置検出回路６５を経て電源回路６４に流れるようになっている。定方向スイッチＳＷ１，ＳＷ１，ＳＷ１は、施錠解錠位置検出回路６５の施錠スイッチＳＷ２がＯＮになっているとき（ドアガードアーム３０が施錠されているとき）には、全てがＯＮ（電流が流れる状態）になり、施錠解錠位置検出回路６５の解錠スイッチＳＷ３がＯＮになっているとき（ドアガードアーム３０が解錠されているとき）には、定方向に電流が流れないためスイッチが入らないようになっている。
【００３２】
上述したように、バックアップ電池１２ｂが選択されているときは、ドアガードアーム３０の状態によって送信機５０による操作ができるか否かが決まる。バックアップ電池１２ｂが選択されることは、メイン電池１２ａでドアガードアーム３０の駆動が不可能になった場合であり、ドアガードアーム３０が解錠状態であればドアは開くので送信機５０の操作は必要がない。つまり、バックアップ電池１２ｂが選択されているときは、施錠状態でのみ送信機５０の操作ができればよい。
【００３３】
このように、バックアップ電池１２ｂは、解錠操作のみ行える電力を備えていればよく、位置検出回路が解錠を認識しているときには、バックアップ電池１２ｂからモータ側へは電力が流れないため、１実施形態のように必ずしもメイン電池１２ａと同等の電力を備えている必要がない。
【００３４】
以上のように、バックアップ電池を設けたことで、メイン電池の電力がなくなってしまった場合でも、ドアガードユニットを駆動することができ、使用者がドアの外に閉め出されてしまうことを防ぐことができる。
【図面の簡単な説明】
【００３５】
【図１】図１は、１実施形態に係るドアガード装置の構成を示す説明図である。
【図２】図２（ａ）はドアガードユニットの正面図であり、図２（ｂ）はドアガードユニットの側面図である。
【図３】図３はドアガードユニットの構成を示す説明図である。
【図４】図４は、ドアガードユニットの電気的構成を示すブロック図である。
【図５】図５は、図４中の電源切り替え回路と施錠解錠位置検出回路の構成を示す回路図である。
【符号の説明】
【００３６】
１０  ドアガードユニット
１１  受信部
１２  電池収容部
１２ａ  電池
１２ｂ  電池
１３  電源切り替えスイッチ
２０  駆動部
２１  モータ
２４  クラッチ機構付ギヤ
２５  連結ギヤ
３０  ドアガードアーム
３１  係合具
５０  送信機
５１  スイッチ
６１  電源切り替え回路
６５  施錠解錠位置検出回路
６６  モータ制御回路
６７  扉スイッチ入力回路
６７ａ  扉スイッチ
ＳＷ１  定方向スイッチ
ＳＷ２  施錠スイッチ
ＳＷ３  解錠スイッチ
【図１】
2005036488.tif 000003
【図２】
2005036488.tif 000004
【図３】
2005036488.tif 000005
【図４】
2005036488.tif 000006
【図５】
2005036488.tif 000007